(57)【特許請求の範囲】
【請求項１】
キャビネット本体に設けられる引き出しであって、
前記キャビネット本体に固定される固定部と、該固定部に対してスライド方向へスライド可能な可動部と、を有するスライドレールと、
前記可動部に載置される外底面を有する樹脂製の引き出し本体と、
前記引き出し本体に取り付けられ、係合位置にある前記可動部と解除可能に係合する係合部材と、を備え、
前記係合部材が取り付けられた前記引き出し本体は、前記スライドレールが設けられた前記キャビネット本体に対して着脱可能とされており、
前記引き出し本体は、該引き出し本体の外底面から下側へ出て前記係合位置を通る前記スライド方向へ前記可動部を移動可能に位置決めする凸部が前記スライドレールの可動部から少なくとも側方外側において一体成形され、該可動部から側方外側にある凸部から側方外側へ離隔して前記可動部の上面よりも下側へ延出した側面部が一体成形されていることを特徴とする引き出し。
【請求項２】
キャビネット本体に引き出しを設けたキャビネットであって、
前記引き出しは、
前記キャビネット本体に固定される固定部と、該固定部に対してスライド方向へスライド可能な可動部と、を有するスライドレールと、
前記可動部に載置される外底面を有する樹脂製の引き出し本体と、
前記引き出し本体に取り付けられ、係合位置にある前記可動部と解除可能に係合する係合部材と、を備え、
前記係合部材が取り付けられた前記引き出し本体は、前記スライドレールが設けられた前記キャビネット本体に対して着脱可能とされており、
前記引き出し本体は、該引き出し本体の外底面から下側へ出て前記係合位置を通る前記スライド方向へ前記可動部を移動可能に位置決めする凸部が前記スライドレールの可動部から少なくとも側方外側において一体成形され、該可動部から側方外側にある凸部から側方外側へ離隔して前記可動部の上面よりも下側へ延出した側面部が一体成形されていることを特徴とするキャビネット。
【発明の詳細な説明】
【技術分野】
【０００１】
本発明は、システムキッチン等に設けられる引き出し、及び、キャビネットに関する。
【背景技術】
【０００２】
システムキッチンのキャビネットには、菜箸やお玉や計量スプーンといった調理小道具、調味料、等の物を収納する引き出しが設けられている。このような引き出しの引き出し本体は、木質材料で形成されている。特許文献１には、引出し収納部に収納トレイが一体的に組み込まれたトレイ一体型引き出し収納部が開示されている。このトレイ一体型引き出し収納部の下側には前後に延びる一対の凹部が間隔を隔てて形成され、これら一対の凹部にそれぞれレールが直接的に取り付けられている。すなわち、凹部からレールを取り外してキャビネット本体から引出し収納部を取り外すことは、特許文献１に示唆されていない。また、引出し収納部の材質は、記載されていない。
【先行技術文献】
【特許文献】
【０００３】
【特許文献１】特開２００６−３４１００３号公報
【発明の概要】
【発明が解決しようとする課題】
【０００４】
キャビネット本体から引き出し本体を取り外すためにスライドレールの可動部と解除可能に係合する留め具を引き出し本体に取り付けるとすると、安価な構成で留め具とスライドレール可動部とを係合し易くすることが好ましい。また、このような課題は、洗面化粧台の引き出し等、システムキッチン以外の引き出しにも存在する。
【０００５】
本発明は、係合部材付き引き出し本体をスライドレール付きキャビネット本体に取り付け易く、外観を向上させる安価な引き出し、及び、キャビネットを提供する目的を有する。
【課題を解決するための手段】
【０００６】
本発明は、キャビネット本体に設けられる引き出しであって、
前記キャビネット本体に固定される固定部と、該固定部に対してスライド方向へスライド可能な可動部と、を有するスライドレールと、
前記可動部に載置される外底面を有する樹脂製の引き出し本体と、
前記引き出し本体に取り付けられ、係合位置にある前記可動部と解除可能に係合する係合部材と、を備え、
前記係合部材が取り付けられた前記引き出し本体は、前記スライドレールが設けられた前記キャビネット本体に対して着脱可能とされており、
前記引き出し本体は、該引き出し本体の外底面から下側へ出て前記係合位置を通る前記スライド方向へ前記可動部を移動可能に位置決めする凸部が前記スライドレールの可動部から少なくとも側方外側において一体成形され、該可動部から側方外側にある凸部から側方外側へ離隔して前記可動部の上面よりも下側へ延出した側面部が一体成形されている、態様を有する。
【０００７】
すなわち、係合位置を通るスライド方向へスライドレール可動部を移動可能に位置決めする凸部が樹脂製の引き出し本体に一体成形されているので、安価で、係合部材付き引き出し本体をスライドレール付きキャビネット本体に取り付け易い。また、側面部によりスライドレールの可動部が見え難い。
なお、上記引き出しを備えるキャビネットやシステムキッチン等も、上述した作用、効果を奏する。
【発明の効果】
【０００８】
本発明によれば、係合部材付き引き出し本体をスライドレール付きキャビネット本体に取り付け易く、外観を向上させる安価な引き出し、及び、キャビネットを提供することができる。
【図面の簡単な説明】
【０００９】
【図１】引き出し１を有するシステムキッチンＫ１を例示する斜視図である。
【図２】スライドレール７０が取り付けられたキャビネット本体９０を例示する斜視図である。
【図３】スライドレール固定部７１を断面視して引き出し１を例示する側面図である。
【図４】引き出し１の底面側を例示する斜視図である。
【図５】図３のＡ１−Ａ１の位置でキャビネット１００を切断した要部垂直断面図である。
【図６】引き出し１の上面側を例示する斜視図である。
【図７】係合部材４０が取り付けられた引き出し本体１０の底面側を例示する斜視図である。
【図８】（ａ）〜（ｄ）は留め具４１（係合部材４０）とスライドレール可動部７２との係合を模式的に例示する底面図である。
【図９】（ａ）は係合具７６と引き出し本体背部１４とが離隔している状態を模式的に例示する斜視図、（ｂ）は係合具７６と引き出し本体背部１４とが係合した状態を模式的に例示する斜視図、である。
【発明を実施するための形態】
【００１０】
以下、本発明の実施形態を説明する。むろん、以下の実施形態は本発明を例示するものに過ぎず、実施形態に示す特徴の全てが発明の解決手段に必須になるとは限らない。
【００１１】
（１）本技術の概要：
まず、図１〜９を参照して本技術の概要を説明する。
【００１２】
キャビネット本体９０に設けられる引き出し１は、スライドレール７０、樹脂製の引き出し本体１０、係合部材４０、を備えている。スライドレール７０は、キャビネット本体９０に固定される固定部７１と、該固定部７１に対してスライド方向Ｄ３へスライド可能な可動部７２と、を有している。樹脂製の引き出し本体１０は、スライドレール可動部７２に載置される外底面１７を有している。係合部材４０は、引き出し本体１０に取り付けられ、係合位置Ｐ１にあるスライドレール可動部７２と解除可能に係合する。係合部材４０が取り付けられた引き出し本体１０は、スライドレール７０が設けられたキャビネット本体９０に対して着脱可能とされている。引き出し本体１０は、該引き出し本体１０の外底面１７から下側へ出て係合位置Ｐ１を通るスライド方向Ｄ３へスライドレール可動部７２を移動可能に位置決めする凸部３０が一体成形されている。すなわち、係合位置Ｐ１を通るスライド方向Ｄ３へスライドレール可動部７２を移動可能に位置決めする凸部３０が樹脂製の引き出し本体１０に一体成形されているので、引き出し１は、安価であり、係合部材４０付き引き出し本体１０をスライドレール７０付きキャビネット本体９０に取り付け易い。
【００１３】
ここで、凸部３０には、引き出し本体１０の外底面１７から下側へ延出した突条、該外底面１７から下側へ突出した突起、該外底面１７から下側へ膨らんだ膨出部、等が含まれる。引き出し本体外底面１７から凸部３０の出る方向は、厳密な下方Ｄ６のみならず、厳密な下方Ｄ６からずれた方向が含まれる。この方向には、例えば、厳密な下方Ｄ６から４５°以内（好ましくは３０°以内、さらには１５°以内）でずれた方向が含まれる。凸部３０は、スライドレール可動部７２から側方両側に設けられてもよいし、側方外側Ｄ４ｏのみに設けられてもよい。
【００１４】
前記引き出し本体１０は、前記スライドレール７０の可動部７２から側方外側Ｄ４ｏへ離隔して該可動部７２の上面７４ａよりも下側へ延出した側面部２０が一体成形されてもよい。スライドレール可動部７２から側方外側Ｄ４ｏへ離隔して該可動部７２の上面７４ａよりも下側へ延出した側面部２０が引き出し本体１０に一体成形されているので、スライドレール７０が見え難くなる。従って、本態様は、外観を向上させる安価な引き出し１を提供することができる。
【００１５】
（２）キャビネットを有するシステムキッチンの説明：
図１は、キャビネット本体９０に対して引き出し１を引き出し方向Ｄ１へ引き出し可能に収容するキッチン用のフロアキャビネット１００を設置したシステムキッチンＫ１の要部の構築例を分解して示している。図２は、スライドレール７０付きキャビネット本体９０の構造例を示している。これらの図中、符号Ｄ１は引き出し１の引き出し方向、符号Ｄ２は引き出し方向Ｄ１とは反対の収容方向、符号Ｄ３は前述の方向Ｄ１，Ｄ２を総称するスライド方向、符号Ｄ４Ｌは引き出し方向Ｄ１側（手前側Ｓ１）から見たときの左方、符号Ｄ４Ｒは手前側Ｓ１から見たときの右方、符号Ｄ５は上方、符号Ｄ６は下方、符号Ｓ２は奥側、符号Ｓ４Ｌは左側、符号Ｓ４Ｒは右側、を示している。前述の左方Ｄ４Ｌ及び右方Ｄ４Ｒを側方Ｄ４と総称する。方向Ｄ１，Ｄ２と方向Ｄ４Ｌ，Ｄ４Ｒと方向Ｄ５，Ｄ６は、互いに交わっていればよく、互いに直交していることが好ましいものの、直交しない場合も本発明に含まれる。誤差により厳密な直交からずれることは、直交することに含まれる。分かり易く示すため、各方向の拡大率は異なることがあり、各図は整合していないことがある。
【００１６】
システムキッチンＫ１は、複数の構成要素が集合して形成される。各フロアキャビネット１００，１０１，１０２は、隣り合うフロアキャビネット同士で対面する側板がねじやナット等などの固定部品で連結されることにより一体化され、上部の開口部にキッチンカウンターＫ２が載置されて固定される。このカウンターＫ２には、シンクＫ３や加熱調理器具Ｋ４や食器洗浄機Ｋ５が組み込まれている。キャビネット１００〜１０２は各種の基準間口幅があり、各種の基準間口幅のフロアキャビネットが選択されて組み合わされることによりシステムキッチンＫ１が構築される。図１に示す引き出し１は、シンクＫ３や加熱調理器具Ｋ４や食器洗浄機Ｋ５を除いた例えば３０ｃｍ程度の幅とされている。
【００１７】
キャビネット本体９０は、キャビネット１００のうち引き出し１を含まない外側の箱をいうものとする。キャビネット本体９０は、例えば、一対の側板９２，９２の間に底板９３と背板９４が架け渡されて引き出し１の収容空間９１が形成された箱体で構成することができる。各側板９２の内側面には、引き出し１をスライド方向Ｄ３へ移動させるためのスライドレール７０の固定部７１が取り付けられている。スライドレール７０の可動部７２は、引き出し本体１０の下側に配置される。
キャビネット本体の材質は、特に限定されず、木質素材、熱可塑性樹脂といった樹脂材料、ステンレス等の金属、等とすることができる。
【００１８】
（３）引き出しの構成：
図３は、キャビネット本体９０に収容された状態の引き出し１の右側面を示し、スライドレール固定部７１を断面視している。図４は、キャビネット本体９０から引き出された状態の引き出し１の底面側を示している。図５は、図３のＡ１−Ａ１の位置でキャビネット１００を切断した要部垂直断面図である。図６は、引き出し１の上面側を示している。図７は、係合部材４０及び化粧板６０が取り付けられた引き出し本体１０の底面側を示している。図中、符号Ｄ４ｉはスライドレール可動部７２からの側方内側、符号Ｄ４ｏはスライドレール可動部７２からの側方外側、を示している。前述の方向Ｄ４ｉ，Ｄ４ｏを側方Ｄ４と総称している。引き出し本体１０の前部１３には化粧板６０及び取っ手６１が取り付けられているが、図３，６では取っ手６１を省略している。
【００１９】
キャビネット本体９０に設けられる引き出し１は、スライドレール７０、樹脂製の引き出し本体１０、係合部材４０、を備える。
図４等に示すスライドレール７０は、内レールである固定部７１、この固定部７１に対してスライド方向Ｄ３へスライド可能に設けられた中間レール７３、この中間レール７３に対してスライド方向Ｄ３へスライド可能に設けられた外レール７４、を有する３段式スライドレールである。基本的には、中間レール７３の内側と固定部７１の外側とがボールベアリング７５を介して両部位７１，７３の長手方向へ相対的にスライド可能とされ、外レール７４の内側と中間レール７３の外側とがボールベアリング７５を介して両レール７３，７４の長手方向へ相対的にスライド可能とされている。中間レール７３及び外レール７４は、固定部７１に対してスライド方向Ｄ３へスライド可能な可動部７２を構成する。
【００２０】
固定部７１は、キャビネット本体９０の側板９２に取り付けられる取付部７１ａを有し、ねじ等により取付部７１ａが側板９２に取り付けられるとキャビネット本体９０に固定される。中間レール７３は、外レール７４及び引き出し本体１０の引き出し量を多くする部材である。外レール７４は、引き出し本体１０の外底面１７を載置するための上面７４ａ、及び、図８に示す係合位置Ｐ１において係合部材４０と解除可能に係合するフック部７４ｂを有している。図９（ａ）に示す外レール７４の奥側Ｓ２には、引き出し本体１０の背部１４の穴１４ａに挿入される突出部７６ａを有する係合具７６が取り付けられている。
スライドレール７０の各部は、例えば、金属で形成することができる。
【００２１】
引き出し本体１０は、物Ｇ１を収納する収納凹部１１を有し、スライドレール可動部７２とともにスライド方向Ｄ３へ移動可能とされる。従って、引き出し本体１０は、キャビネット本体９０から引き出し方向Ｄ１へ引き出し可能であり、収容方向Ｄ２に向かってキャビネット本体９０に収容可能である。
【００２２】
図５〜７等に示す引き出し本体１０は、上部が開口した収納凹部１１を一体形成する底部１２、前部１３、背部１４、及び、側面部２０Ｌ，２０Ｒを有するとともに、底部外底面１７から下側へ出た凸部３０を有している。ここで、内底面１６は底部１２の上面、すなわち、物Ｇ１が載置される面であり、外底面１７は底部１２の下面、すなわち、スライドレール可動部７２に載置される部分を含む面である。また、側面部２０Ｌ，２０Ｒを側面部２０と総称する。収納凹部１１には、仕切り１５が形成されている。成形の都合上、ごく僅かな末広がり状の抜きテーパーを有する肉抜部１５ｃ，２０ｃが仕切り１５や側面部２０等に形成されている。引き出し本体１０は、これらの部位を熱可塑性樹脂といった樹脂材料で一体成形した樹脂成形品とされている。樹脂材料の成形には、射出成形等を用いることができる。
【００２３】
収納凹部１１は、物Ｇ１を収納する収納空間ＳＰ１を形成している。図５，６に示す収納凹部１１は、比較的低い中央側内底面１６ａ、及び、比較的高い端側内底面１６ｂ，１６ｃを有している。中央側内底面１６ａ上の空間と左方Ｄ４Ｌの内底面１６ｂ上の空間とは、手前側Ｓ１に仕切り１５があるものの互いに繋がった共通の収納空間ＳＰ２とされている。中央側内底面１６ａよりも端側内底面１６ｂ，１６ｃが高いのは、端側内底面１６ｂ，１６ｃの下にスライドレール可動部７２が設けられるためである。しかしながら、中央側内底面１６ａ上の空間と左方Ｄ４Ｌの内底面１６ｂ上の空間とが奥側Ｓ２において繋がっていることにより、中央側内底面１６ａ上の空間に収まりきらない物を中央側内底面１６ａ上の空間から端側内底面１６ｂ上の空間にかけて収納することができる。
【００２４】
端側内底面１６ｂ，１６ｃの裏側にある外底面１７は、外レール７４（スライドレール可動部７２）の上面７４ａに載置される。外底面１７の手前側Ｓ１には、係合位置Ｐ１にある外レール７４と解除可能に係合する係合部材４０が取り付けられている。この係合部材４０が設けられた引き出し本体１０がスライドレール７０の付いたキャビネット本体９０に対して着脱可能とされる。
【００２５】
外底面１７からは、上記係合位置Ｐ１を通る前記スライド方向Ｄ３へ外レール７４（スライドレール可動部７２）を移動可能に位置決めする凸部３０が下側へ出ている。図５の例では、各外レール７４の側方内側Ｄ４ｉにおいて内側凸部３１が外底面１７から下方Ｄ６へ延出し、各外レール７４の側方外側Ｄ４ｏにおいて外側凸部３２が外底面１７から下方Ｄ６へ延出していることが示されている。設計上、樹脂材料で形成される内側凸部３１と外レール７４との間に例えば０．１〜１ｍｍ程度のごく僅かな隙間ＣＬ１を設け、樹脂材料で形成される外側凸部３２と外レール７４との間に例えば０．１〜１ｍｍ程度のごく僅かな隙間ＣＬ２を設けている。これにより、成形誤差を考慮したうえで引き出し本体１０の幅方向（左方Ｄ４Ｌ及び右方Ｄ４Ｒ）において外レール７４の位置が実質的に決まり、且つ、係合部材４０と係合していない外レール７４が係合位置Ｐ１を通るスライド方向Ｄ３へ移動可能とされる。
【００２６】
図７に示す内側凸部３１は、長手方向をスライド方向Ｄ３へ向けた突条とされ、スライド方向Ｄ３において複数に分割されている。内側凸部３１を複数に分割することにより精度良く成形することができるものの、内側凸部３１はスライド方向Ｄ３全体にわたって繋がっていてもよい。図７に示す外側凸部３２も、長手方向をスライド方向Ｄ３へ向けた突条とされている。外側凸部３２も、スライド方向Ｄ３において複数に分割することにより精度良く成形することができるものの、スライド方向Ｄ３全体にわたって繋がっていてもよい。突条とされた内側凸部３１及び外側凸部３２の間の外底面１７は、外レール７４が入る溝状とされる。スライドレール可動部７２（中間レール７３及び外レール７４）の下にスライドレール固定部７１があるため、少なくとも外側凸部３２の下縁はスライドレール可動部７２の下縁よりも上側となる。
【００２７】
樹脂材料で形成される前部１３には、例えば、図１に示すような化粧板６０及び取っ手６１が別部材として取り付けられる。樹脂材料で形成される背部１４には、例えば、図９（ａ）に示すような係合具７６の突出部７６ａが挿入される穴１４ａが形成される。
【００２８】
樹脂材料で形成される側面部２０Ｌ，２０Ｒは、例えば、図５に示すように肉抜部２０ｃの存在により外レール７４（スライドレール可動部７２）側方外側Ｄ４ｏへ離隔して外レール７４の上面７４ａよりも下側へ延出している。ここで、側面部２０Ｌ，２０Ｒのうち、外レール上面７４ａよりも上側の部分を本体部２２と呼び、外レール上面７４ａよりも下側の部分を覆い部２４と呼ぶことにする。スライドレール可動部７２の下にスライドレール固定部７１があるため、覆い部２４の下縁はスライドレール可動部７２の下縁よりも上側となる。
【００２９】
外レール７４の側方外側Ｄ４ｏにある外側凸部３２により、スライドレール可動部７２（中間レール７３及び外レール７４）はある程度覆われる。しかし、上述したように外側凸部３２の下縁はスライドレール可動部７２の下縁よりも上側にせざるを得ず、且つ、外側凸部３２は外レール７４（スライドレール可動部７２）の直ぐ近くにあるため、上記覆い部２４が無ければスライドレール可動部７２が見える可能性が大きい。図５等に示す引き出し本体１０はスライドレール可動部７２から肉抜部２０ｃの分、側方外側Ｄ４ｏへ離隔して外レール上面７４ａよりも略下方Ｄ６へ延出した覆い部２４がある。このため、覆い部２４の下縁はスライドレール可動部７２の下縁よりも上側にせざるを得ないとしても、覆い部２４によりスライドレール可動部７２が見え難い。従って、本技術の引き出し１は、凸部３０を有する引き出し本体１０を樹脂製にしたことにより安価ながら外観が良好である。特に、外側凸部３２から覆い部２４が側方外側Ｄ４ｏへ離隔していることにより、スライドレール可動部７２をスライド方向Ｄ３へ移動可能に位置決めすることと、スライドレール可動部７２を見え難くすることと、の両方がスライドレール可動部７２から側方外側Ｄ４ｏにおいて実現される。また、側面部２０は、ごく僅かな末広がり状の抜き勾配があるため、良好なフラット感があり、外観が良好である。
【００３０】
引き出し本体１０に取り付けられる係合部材４０には、例えば、図８（ａ）〜（ｄ）に示す留め具４１を用いることができる。この留め具４１は、外レール７４の手前側Ｓ１にあるフック部７４ｂを受け入れる凹部４１ａ、留め具４１の手前側Ｓ１の中心部位４１ｃを回転の中心として凹部４１ａを図８（ａ）〜（ｄ）の左回りの付勢方向へ付勢する付勢機構４１ｂ、を有している。付勢機構４１ｂには、ばね等を用いることができる。凸部３０により位置決めされて引き出し方向Ｄ１へ移動する外レール７４のフック部７４ｂは、図８（ａ）〜（ｃ）に示すように中心部位４１ｃを中心として留め具４１を図８（ｂ）の右回りに、すなわち、付勢方向とは反対方向へ回転させた後に凹部４１ａに入って留め具４１と係合する。業者の人やユーザーが図８（ｄ）に示すように中心部位４１ｃを中心として留め具４１を手で右回りに動かすと、フック部７４ｂと留め具４１との係合が解除され、外レール７４のフック部７４ｂを収容方向Ｄ２へ移動させることができる。
【００３１】
（４）引き出しの作用及び効果の説明：
次に、引き出し１の作用及び効果を説明する。なお、引き出し１を使用するときには、外底面１７の下側で図８（ｃ）に示すように留め具４１と外レールフック部７４ｂとが係合し、引き出し本体背部１４において図９（ｂ）に示すように外レール上面７４ａに固定された係合具７６の突出部７６ａが穴１４ａに挿入されていることが前提である。
【００３２】
図１に示すようにキャビネット本体９０に収容されている引き出し１を引き出すと、引き出し本体１０が現れ、収納凹部１１に対して物Ｇ１を出し入れすることができる。ここで、図８（ｄ）に示すように中心部位４１ｃを中心として留め具４１を手で右回りに、すなわち、付勢方向とは反対方向へ動かすと、フック部７４ｂと留め具４１との係合が解除される。そこで、凸部３１，３２に沿って外レール７４を収容方向Ｄ２へ動かすと、図９（ａ）に示すように引き出し本体背部１４の穴１４ａから係合具７６の突出部７６ａが抜け出る。従って、留め具４１（係合部材４０）が取り付けられた引き出し本体１０の手前側Ｓ１と奥側Ｓ２の両方が同時に外レール７４（スライドレール可動部７２）との係合から解除され、留め具４１付き引き出し本体１０がスライドレール７０付きキャビネット本体９０から取り外される。
【００３３】
スライドレール７０付きキャビネット本体９０に留め具４１付き引き出し本体１０を取り付けるときには、業者の人やユーザーは、まず、内側凸部３１と外側凸部３２との間の外底面１７を外レール上面７４ａに載置すればよい。ここで、両凸部３１，３２は、図５，７に示すように、引き出し本体外底面１７から下側へ出て係合位置Ｐ１を通るスライド方向Ｄ３へ外レール７４を移動可能に位置決めする。このため、図８（ａ）に示すように外レールフック部７４ｂを手で係合位置Ｐ１に向かって引き出し方向Ｄ１へ動かすことができる。図８（ｂ）に示すように外レールフック部７４ｂが留め具４１と接触すると、留め具４１が中心部位４１ｃを中心として右回りに回転する。図８（ｃ）に示すようにフック部７４ｂが凹部４１ａに入って留め具４１と係合すると、図９（ｂ）に示すように引き出し本体背部１４の穴１４ａに係合具７６の突出部７６ａが挿入される。従って、留め具４１が取り付けられた引き出し本体１０の手前側Ｓ１と奥側Ｓ２の両方が同時に外レール７４と係合し、留め具４１付き引き出し本体１０がスライドレール７０付きキャビネット本体９０に取り付けられる。
【００３４】
上述した凸部３１，３２は、樹脂製の引き出し本体１０に一体成形されている。このように、係合位置Ｐ１を通るスライド方向Ｄ３へスライドレール可動部７２を移動可能に位置決めする凸部３０が樹脂製の引き出し本体１０に一体成形されているので、引き出し１は、安価であり、係合部材４０付き引き出し本体１０をスライドレール７０付きキャビネット本体９０に取り付け易い。また、スライドレール可動部７２から側方外側Ｄ４ｏへ離隔して該可動部７２の上面７４ａよりも下側へ延出した側面部２０が引き出し本体１０に一体成形されているので、スライドレール７０が見え難く、引き出し１の外観が良好である。
【００３５】
なお、引き出されている引き出し１を押すと、キャビネット本体９０に引き出し１を収容することができる。
【００３６】
（５）変形例：
本発明は、種々の変形例が考えられる。
例えば、引き出しは、システムキッチン以外の場所に設置される食器棚、洗面化粧台、等に設けられてもよい。
スライドレールは、中間レールを有する３段式であると引き出し本体の引き出し量が多くなるので好ましいものの、中間レールの無い２段式でもよい。むろん、４段以上のスライドレールを使用することも可能であり、この場合には可動部が３段以上となる。
スライドレールは、キャビネット本体に対して左右２箇所に設けられる以外にも、１箇所のみ設けられてもよいし、３箇所以上設けられてもよい。係合部材も、引き出し本体に対して左右２箇所に設けられる以外にも、１箇所のみ設けられてもよいし、３箇所以上設けられてもよい。むろん、各スライドレールの可動部に対して係合部材が２箇所以上設けられてもよい。
【００３７】
上述した内側凸部３１は省略されてもよい。また、引き出し本体１０の左側Ｓ４Ｌに内側凸部３１のみ設けられて引き出し本体１０の右側Ｓ４Ｒに外側凸部３２のみ設けられてもよいし、引き出し本体１０の左側Ｓ４Ｌに外側凸部３２のみ設けられて引き出し本体１０の右側Ｓ４Ｒに内側凸部３１のみ設けられてもよい。さらに、複数のスライドレールのうち一部のスライドレールのみ可動部をスライド方向へ移動可能に位置決めする凸部を引き出し本体底部に一体成形してもよい。
【００３９】
（６）結び：
以上説明したように、本発明によると、種々の態様により、係合部材付き引き出し本体をスライドレール付きキャビネット本体に取り付け易い安価な引き出し等の技術を提供することができる。むろん、従属請求項に係る構成要件を有しておらず独立請求項に係る構成要件のみからなる技術等でも、上述した基本的な作用、効果が得られる。
また、上述した実施形態及び変形例の中で開示した各構成を相互に置換したり組み合わせを変更したりした構成、公知技術並びに上述した実施形態及び変形例の中で開示した各構成を相互に置換したり組み合わせを変更したりした構成、等も実施可能である。本発明は、これらの構成等も含まれる。
【符号の説明】
【００４０】
１…引き出し、
１０…引き出し本体、１１…収納凹部、
１２…底部、１３…前部、１４…背部、１４ａ…穴、１５…仕切り、１５ｃ…肉抜部、
１６，１６ａ〜１６ｃ…内底面、１７…外底面、
２０，２０Ｌ，２０Ｒ…側面部、２０ｃ…肉抜部、２２…本体部、２４…覆い部、
３０…凸部、３１…内側凸部、３２…外側凸部、
４０…係合部材、４１…留め具、
７０…スライドレール、７１…固定部、７１ａ…取付部、７２…可動部、
７３…中間レール、７４…外レール、７４ａ…上面、
７６…係合具、７６ａ…突出部、
９０…キャビネット本体、９１…収容空間、９２…側板、９３…底板、９４…背板、
１００〜１０２…キャビネット、
Ｄ１…引き出し方向、Ｄ２…収容方向、Ｄ３…スライド方向、
Ｄ４…側方、Ｄ４ｉ…側方内側、Ｄ４ｏ…側方外側、Ｄ４Ｌ…左方、Ｄ４Ｒ…右方、
Ｄ５…上方、Ｄ６…下方、
Ｋ１…システムキッチン、Ｋ２…カウンター、
Ｐ１…係合位置。
【図１】
0005896981.tif 000002
【図２】
0005896981.tif 000003
【図３】
0005896981.tif 000004
【図４】
0005896981.tif 000005
【図５】
0005896981.tif 000006
【図６】
0005896981.tif 000007
【図７】
0005896981.tif 000008
【図８】
0005896981.tif 000009
【図９】
0005896981.tif 000010